(57)【特許請求の範囲】
【請求項１】
収納部を有するケースと、前記収納部内に並設されて互いに絶縁された固定接点および切換接点と、前記収納部内に支持されて回動操作可能な操作レバーと、この操作レバーに回動復帰力を付与する捻りコイルバネとを備え、この捻りコイルバネは、巻回部とこの巻回部の両端から所定の開放角度を有して一方向に延びる自由端状の第１、第２腕部を有し、前記捻りコイルバネは、前記第１腕部を前記固定接点に常時弾接すると共に、前記第２腕部が前記操作レバーの当接部に弾接し、前記切換接点は、クリップ状に形成されて互いに対向する一対の接点部を有し、前記操作レバーを回動操作すると、前記第２腕部は、前記一対の接点部と接離すると共に、前記一対の接点部間に弾接狭持した状態でスライド移動可能とし、前記操作レバーは、前記収納部内に形成した支持部に前記回動自在に支持されると共に、前記操作レバーには、前記支持部の周囲に位置するバネ収納部が設けられており、このバネ収納部に前記捻りコイルバネの前記巻回部を収納したことを特徴とするスイッチ装置。
【請求項２】
前記収納部内に並設された前記固定接点および前記切換接点は、前記ケースに一部が埋設されて一体化されていることを特徴とする請求項１記載のスイッチ装置。
【請求項３】
前記切換接点の前記一対の接点部は、前記ケースの前記収納部の内底面から隙間を有して形成されていることを特徴とする請求項１または２記載のスイッチ装置。
【請求項４】
前記切換接点の前記一対の接点部は、前記収納部の内底面と平行な横長状に形成され、前記一対の接点部に弾接狭持した前記捻りコイルバネの前記第２腕部は、前記内底面と平行方向に前記スライド移動可能としたことを特徴とする請求項３記載のスイッチ装置。
【請求項５】
前記ケースの前記収納部は、前記操作レバーを支持する前記支持部と前記切換接点とを結ぶ線に対して略対称に形成したことを特徴とする請求項１乃至４のいずれか１項記載のスイッチ装置。
【発明の詳細な説明】
【０００１】
【発明の属する技術分野】
本発明は、操作レバーの回動操作に伴ってＯＮ／ＯＦＦの切換えを行うことができるスイッチ装置に関する。
【０００２】
従来のスイッチ装置を図９〜図１２に基づいて説明すると、絶縁材料からなり箱形に形成されたケース３１には、内底面３１ａを有する略立方体状の収納部３１ｂが形成され、この収納部３１ｂ内の図示左側の左側壁３１ｃの一部に、凸部３２ａが一体形成された傾斜状の固定接点３２が配設されている。
この固定接点３２は、内底面３１ａを構成する底壁３１ｄにインサート成形等により引き回しされ、左側壁３１ｃ、および右側壁３１ｅの外方に、第１外部端子３２ｂが突出形成されている。
【０００３】
また、左側壁３１ｃ近傍の底壁３１ｄからは、バネ支持軸３３が立設されている。
このバネ支持軸３３には、可動接点としての捻りコイルバネ３４が装着されている。
この捻りコイルバネ３４は、図１０に示すように、バネ支持軸３３に係合して装着可能な巻回部３４ａと、この巻回部３４ａの両端から同方向に延びる第１、第２腕部３４ｂ、３４ｃが形成されている。
また、第１腕部３４ｂは、傾斜状の固定接点３２に常時接触した状態になっており、その先端が凸部３２ａに当接して、上下方向の動きが規制されている。
またケース３１には、開放された収納部３１ｂの上方を蓋閉するカバー３５が配設されている、このカバー３５は、絶縁性の基台３５ａに金属板３６が埋設されており、この金属板３６からは、左側壁３１ｃの外側に第２外部端子３６ａが引き出しされている。
【０００４】
また、収納部３１ｂ上を蓋閉した状態の基台３５ａの一部から金属板３６が露出しており、この露出部分から金属板３６の一部が切り起こしされて、収納部３１ｂの内定面３１ａ側に向けて延びる切換接点３７が形成されている。
この切換接点３７は、内底面３１ａに弾接しており、先端部が内定面と平行に左側壁３１ｃ、右側壁３１ｅ方向に延びる横長状の接点部３７ａと、この接点部３７ａの図示右端部が図１２に示すように、上方に折り曲げられてガイド部３７ｂとが形成されている。そして、第２腕部３４ｃが可動接点となって、接点部３７ａに接離可能になっている。
【０００５】
また、バネ支持軸３３は、下部側に捻りコイルバネ３４を装着すると共に、上部側に操作レバー３８を回動自在に支持している。この操作レバー３８は、操作前の初期状態においては、ケース３１の外側に位置する操作部３８ａを有し、バネ支持軸３３に支持する部分（図示せず）に連結する連結部３８ｂが形成され、操作部３８ａの反対側で収納部３１ｂ内には、捻りコイルバネ３４の第２腕部３４ｃを押圧可能なバネ押圧部３８ｃが形成されている。
【０００６】
このような従来のスイッチ装置は、操作レバー３８を回動操作する前の初期状態においては、図１０に示すように、操作部３８ａがケース３１の外部に位置している。
そして、捻りコイルバネ３４の第２腕部３４ｃは、底壁３１ｄの内底面３１ａ上に位置して、常時操作レバー３８のバネ押圧部３８ｃに弾接している。
操作レバー３８を回動操作する前の初期状態においては、図１２に示すように、第２腕部３４ｃが切換接点３７と離間してスイッチＯＦＦの状態になっている。
この状態から、操作レバー３８の操作部３８ａに、矢印Ａ方向の付勢力を加えると、図１２に示すように、バネ押圧部３８ｃが第２腕部３４ｃを矢印Ｂ方向に押圧する。
【０００７】
すると、第２腕部３４ｃがガイド部３７ｂに誘導されて、接点部３７ａが２点鎖線で示す上方に押し上げられ、内底面３１ａと接点部３７ａとの間を第２腕部３４ｃがスライド移動して、スイッチＯＮの状態に切り替わる。
そして、操作レバー３８の操作部３８ａが、図１１に示すように収納部３１ｂ内にもぐり込むと、フルストローク状態となって、操作レバー３８の回動が停止する。
このフルストローク状態から、操作レバー３８に加えていた矢印Ａ方向の操作力を解除すると、捻りコイルバネ３４の自身の弾性力で、第２腕部３４ｃが切換接点３７から離間すると共に、操作レバー３８も図１０に示す初期状態に復帰して、スイッチＯＦＦの状態に切り替わるようになっている。
【０００８】
【発明が解決しようとする課題】
しかし、前述したような従来のスイッチ装置は、可動接点である第２腕部３４ｃが、切換接点３７の接点部３７ａと片側接触となるため、接触部分にゴミ等が侵入したりすると、接触が不安定になるおそれがあった。
また、操作レバー３８を回動させて、内底面３１ａ上を第２腕部３４ｃがスライド移動すると、内底面３１ａが第２腕部３４ｃで擦られて削りカスが発生し、この削りカスで接点部３７ａと第２腕部３４ｃとが接触不良になるおそれがあった。
【０００９】
また、従来のスイッチ装置は、固定接点３２と切換接点３７とが、ケース３１とカバー３５とに振り分けされて、組立時にそれぞれ別々に取り付けされていたので、ケース３１にカバー３５を取り付けるときの位置バラツキ等で、切換接点３７の接点部３７ａが位置ズレして、第２腕部３４ｃとの接触位置である、スイッチＯＮ位置がバラツクおそれがあった。
本発明は前述したような問題点に鑑みてなされたもので、スイッチＯＮ時の接触の安定性を向上させると共に、スイッチＯＮ位置のバラツキをなくすることができる薄型で部品点数の少ないスイッチ装置を提供することを目的とする。
【００１０】
【課題を解決するための手段】
上記課題を解決するための第１の解決手段として本発明のスイッチ装置は、収納部を有するケースと、前記収納部内に並設されて互いに絶縁された固定接点および切換接点と、前記収納部内に支持されて回動操作可能な操作レバーと、この操作レバーに回動復帰力を付与する捻りコイルバネとを備え、この捻りコイルバネは、巻回部とこの巻回部の両端から所定の開放角度を有して一方向に延びる自由端状の第１、第２腕部を有し、前記捻りコイルバネは、前記第１腕部を前記固定接点に常時弾接すると共に、前記第２腕部が前記操作レバーの当接部に弾接し、前記切換接点は、クリップ状に形成されて互いに対向する一対の接点部を有し、前記操作レバーを回動操作すると、前記第２腕部は、前記一対の接点部と接離すると共に、前記一対の接点部間に弾接狭持した状態でスライド移動可能とし、前記操作レバーは、前記収納部内に形成した支持部に前記回動自在に支持されると共に、前記操作レバーには、前記支持部の周囲に位置するバネ収納部が設けられており、このバネ収納部に前記捻りコイルバネの前記巻回部を収納したことを特徴とする。
【００１１】
また、上記課題を解決するための第２の解決手段として、前記収納部内に並設された前記固定接点および前記切換接点は、前記ケースに一部が埋設されて一体化されていることを特徴とする。
【００１２】
また、上記課題を解決するための第３の解決手段として、前記切換接点の前記一対の接点部は、前記ケースの前記収納部の内底面から隙間を有して形成されていることを特徴とする。
【００１３】
また、上記課題を解決するための第４の解決手段として、前記切換接点の前記一対の接点部は、前記収納部の内底面と平行な横長状に形成され、前記一対の接点部に弾接狭持した前記捻りコイルバネの前記第２腕部は、前記内底面と平行方向に前記スライド移動可能としたことを特徴とする。
【００１４】
また、上記課題を解決するための第５の解決手段として、前記ケースの前記収納部は、前記操作レバーを支持する前記支持部と前記切換接点とを結ぶ線に対して略対称に形成したことを特徴とする。
【００１５】
【発明の実施の形態】
以下、本発明の一実施の形態を図１乃至図８に示す。図１は本発明の一実施の形態のスイッチ装置の分解斜視図であり、図２、図３はその内部を説明する上面図であり、図４は本発明の係わる固定接点と切換接点との分解斜視図であり、図５は本発明のスイッチ装置の要部断面図であり、図６〜図８は本発明のスイッチ装置の動作を説明する要部断面図である。
【００１６】
まず、本発明のスイッチ装置は、図１に示すように、最下部に樹脂材料等の絶縁材からなるケース１が配設されている。このケース１は、図示手前側と奥側との外周部から立設させて、互いに対向する第１、第２側壁１ａ、１ｂを形成している。この第１、第２側壁１ａ、１ｂに挟まれた部分に、略矩形状の収納部１ｃが所定深さに形成されている。
また、第２側壁１ｂの内面には、略台形状の凹部１ｄが形成され、この凹部１ｄを構成する一方の側面に、後述する操作レバー５のストッパー部５ｈが当接可能なストッパー面１ｅが形成されている。
【００１７】
また、収納部１ｃの底部には、内底面１ｆを有する底壁１ｇが形成されている。また、ケース１の第１、第２側壁１ａ、１ｂの図示左側の外面には、それぞれ外側に突出するフック部１ｈ、１ｈが形成され、このフック部１ｈに後述するカバー７のスナップ穴７ｃがスナップ係止可能になっている。
また第１側壁１ａの手前側の外面、および第２側壁１ｂの奥側の外面には、後述するカバー７の係支爪７ｅを係支可能な係止部１ｊが形成されている。
【００１８】
また、図５、図６に示すように、底壁１ｇの裏面側には、２本の位置決め突起１ｋ、１ｋが突出形成されており、この位置決め突起１ｋで、図示を省略する装置側の基板に本発明のスイッチ装置を位置決め可能になっている。
また、底壁１ｇには、図４に示すような固定接点２と切換接点３とが、互いに絶縁された状態でインサート成形等で埋設されている。
即ち、収納部１ｃ内に併設されて、インサート成形等により互いに絶縁された固定接点２と切換接点３とが配設されている。
【００１９】
前記固定接点２は、図４に示すように、１枚の金属板を打ち抜いて平坦状の基部２ａを形成し、この基部２ａの左右両端部を上方に折り曲げて一対の第１外部端子２ｂ、２ｂが形成されている。
また、図示左側の一方の第１外部端子２ｂの隣には、舌片状の延出部を基部２ａと対向させて内側に折り返すと共に、内側に折り返した先端部側を再度上方に角度αで折り曲げて、接点部２ｃを形成している。この接点部２ｃの角度αは、直角より小さな鋭角状に形成されている。
また、他方の第１外部端子２ｂの隣で、接点部２ｃと対向する側には、舌片状の延出部を基部２ａと対向する内側に折り返して折曲げ部２ｄを形成している。
【００２０】
また、接点部２ｃ、折り曲げ部２ｄより手前側の基部２ａには、図４に示すような開口部２ｅが貫通形成されている。このような固定接点２は、ケース１の底壁１ｇにインサート成形等により埋設されて、基部２ａの表面が内底面１ｆから露出すると共に、接点部２ｃが第１側壁１ａから収納部１ｃ内に露出している。また、第１外部端子２ｂ、２ｂは、第１、第２側壁１ａ、１ｂの外側にそれぞれ突出して露出した状態になっている。
【００２１】
また、固定接点２を埋設した底壁１ｇの反対側には、固定接点２と絶縁された切換接点３が埋設されている。この切換接点３は、１枚の金属板を切り曲げして形成され、平坦状の基部３ａを金属板に連結するための連結部３ｂ、３ｂが図示後方側に形成され、この連結部３ｂ、３ｂが第１、第２側壁１ａ、１ｂの図示左側の外面から外部に露出している。
また、接続部（図示せず）で基部３ａに接続された平坦状の接点形成部３ｃが、基部３ａの表面側に互いに重なるように折り返されて横長状に形成されている。
この接点形成部３ｃの左右方向の長手方向の両端部が上方に折り曲げられて、一対の第２外部端子３ｄ、３ｄが形成されている。
【００２２】
そして、基部３ａと接点形成部３ｃとが底壁１ｇにインサート成形等により埋設され、第２外部端子３ｄ、３ｄは、第１、第２側壁１ａ、１ｂの外側に突出されて、第１外部端子２ｂ、２ｂと絶縁されて隣設されている。
前記切替接点３は、横長状の接点形成部３ｃの略中央部から前後方向に延びる第１、第２連結部３ｅ、３ｆが形成されている。
前記第１連結部３ｅは、接点形成部３ｃから前方側で斜め上方に延出形成され、自由端状の先端部に左右方向に横長状の下方接点部３ｇが形成されている。
この横長状の下方接点部３ｇは、収納部１ｃの内底面１ｆから所定寸法の隙間有しており、内底面１ｆと平行に形成されている。
また、第２連結部３ｆは、接点形成部３ｃの後方側から上方に切り起こし形成され、略Ｕ字状に折返しされて、自由端状の先端部に下方接点部３ｇと略同じ長さで横長状の上方接点部３ｈが形成されている。この上方接点部３ｈは、下方接点部３ｇに所定の弾性力で弾接している。
【００２３】
また、接点形成部３ｃの長手方向の２箇所には、矩形状の貫通穴３ｊ、３ｊが形成され、切替接点３を底壁１ｇにインサート成形するときに貫通穴３ｊに樹脂材料が流れ込んで補強部となるようになっている。
また、切換接点３の下方、および上方接点部３ｇ、３ｈは、図６に示すように、長手方向の両端部が下方と上方の傾斜状に折り曲げられ、それぞれガイド部３ｍ、３ｎが形成されている。
【００２４】
このような固定接点２および切換接点３のケース１に埋設する前は、それぞれの外部端子２ｄ、３ｄが平坦状に外方に延長形成されており、この平坦状の外部端子２ｄ、３ｄの先端部が１枚のフープ状の金属板に連結されて一体化されている。このような１枚の金属板に一体化した状態で、固定接点２および切換接点３は、接点部２ｃ、および一対の接点部３ｇ、３ｈ等をそれぞれ形成している。
その後、フープ状の金属板に一体化された固定接点２、切換接点３を、ケース１にインサート成形により、絶縁性の樹脂材料で埋設する。
このケース１のインサート成形後、ケース１の外部に延びるそれぞれの外部端子２ｄ、３ｄの先端部を切断すると共に、この外部端子２ｄ、３ｄをそれぞれ上方側に曲げ加工している。
同時にケース１の外部に出た連結部３ｂを切断することにより、固定接点２と切換接点３とが互いに絶縁されて、ケース１にインサート成形されている。
【００２５】
また、ケース１の底壁１ｇに埋込みされた固定接点２の開口部２ｅからは、ケース１をインサート成形する時に、同時に円柱状の支持部４が所定高さで突出形成されている。
この支持部４には、樹脂材料等で形成された絶縁性の操作レバー５が回動自在に軸支されている。前記操作レバー５には、ケース１の支持部４に軸支可能な外形が円柱状の軸支部５ａが形成され、この軸支部５ａの内部に、ケース１の支持部４に挿入して嵌合可能な支持穴５ｂが形成されている。
また、軸支部５ａの外周部には、所定の幅と深さで略円弧状の溝からなるバネ収納部５ｃが形成され、このバネ収納部５ｃに、後述する捻りコイルバネ６の巻回部６ａが収納可能になっている。
【００２６】
また、操作レバー５には、軸支部５ａが形成された側と反対方向で図示左方向に傾斜して延出する棒状の操作部５ｅが形成されている。そして、ケース１の支持部４に支持穴５ｂを挿入して嵌合させた操作レバー５は、操作部５ｅに矢印Ｃ方向の操作力を加えることにより、支持部４を回動支点として回動自在になっている。
また、バネ収納部５ｃを構成する円弧状の周壁５ｄの図示左側端部には、後述する捻りコイルバネ６の第２腕部６ｃをガイドして支持するためのバネ支持部５ｆが突出形成されていると共に、バネ支持部５ｆの下部の周壁５ｄに、捻りコイルバネ６の第２腕部６ｃが当接可能な当接部５ｇが形成され、この当接部５ｇ近傍のバネ収納部５ｃが開放されて、後述する捻りコイルバネ６の第２腕部６ｃが位置可能になっている。
【００２７】
また、バネ支持部５ｆの反対側で、操作レバー５の外周部には、バネ支持部５ｆと反対方向に突出するストッパー部５ｈが形成されている。
そして、支持部４に操作レバー５を支持すると、操作レバー５のストッパ−部５ｈが、ケース１のストッパー面１ｅに当接するようになっている。
また、操作レバー５のバネ収納部５ｃを構成する円弧状の周壁５ｄの図示右側端部は、途中で切り欠きされて、バネ収納部５ｃの図示手前側が開放されて、後述する捻りコイルバネ６の第１腕部６ｂが位置可能になっている。
【００２８】
また、操作レバー５のバネ収納部５ｃに収納可能な捻りコイルバネ６は、巻回部６ａと、この巻回部６ａの外周部から所定の開放角度βを挟んで第１、第２腕部６ｂ、６ｃが延長形成されている。
このような捻りコイルバネ６は、巻回部６ａの内径側を操作レバー５の軸支部５ａに位置させて、バネ収納部５ｃに挿入すると、第１腕部６ｂがバネ収納部５ｃの図示右側の開放部から操作レバー５の外側に突出し、第２腕部６ｃはバネ支持部５ｆに支持されて、操作レバー５の外側に突出するようになっている。
【００２９】
また、ケース１の上部には、開放された収納部１ｃの上方を蓋閉するカバー７が配設されている。このカバー７は、金属板からなり、平坦状の基部７ａと、この基部７ａの図示左端部を下方に折り曲げて、第１側板７ｂを形成し、この第１側板７ｂには、ケース１のフック部１ｈにスナップ係止可能な、形状が略矩形状の一対のスナップ穴７ｃ、７ｃが形成されている。
また、基部７ａの手前側端部と奥側端部とを下方に折り曲げて、第２側板７ｄと係止爪７ｅをそれぞれ形成している。そして、係止爪７ｅは、略階段状に形成され、ケース１の係止部１ｊに係止可能になっている。
【００３０】
このような構成のスイッチ装置の組立方法は、まず、操作レバー５のバネ収納部５ｃに捻りコイルバネ６の巻回部６ａを収納して装着する。すると、捻りコイルバネ６の第２腕部６ｃが、バネ支持部５ｆに支持されて、当接部５ｇに当接する。そして、捻りコイルバネ６は、第２腕部５ｃが操作レバー５のバネ収納部５ｃの当接部５ｇから外側に突出すると共に、第１腕部６ｂが操作レバー５の図示右側の開放端部から外側に突出する。
このような、捻りコイルバネ６を装着した操作レバー５は、支持穴５ｂをケース１の支持部４に挿入して嵌合させると、図２に示すように、捻りコイルバネ６の第１腕部６ｂが固定接点２の接点部２ｃに当接し、第２腕部６ｃが操作レバー５の当接面５ｇに弾接する。
【００３１】
すると、操作レバー５は、操作部５ｅが矢印Ｄの時計回り方向に弾性付勢されて、ストッパー部５ｈがケース１のストッパー面１ｅに当接する。
このような状態のケース１の上方から、カバー７を被せると、カバー７のスナップ穴７ｃがケース１のフック部１ｈにスナップ係止されると共に、カバー７の係止爪７ｅがケース１の係止部１ｊに係止されて、カバー７がケース１に固着されて、本発明のスイッチ装置が組み立てられている。
【００３２】
前述したような組立方法で組み立てられた本発明のスイッチ装置の操作を説明すると、まず、図２、図６に示すような初期状態において、可動接点である捻りコイルバネ６は、第１腕部６ｂが固定接点２の接点部２ｃに常時当接すると共に、第２腕部６ｃが、切換接点３の下部と上部の接点部３ｇ、３ｈから離間して、スイッチＯＦＦの状態になっている。
このような初期状態から、図３に示すように、操作レバー５の操作部５ｅに矢印Ｃ方向の操作荷重を加えると、操作レバー５は、捻りコイルバネ６の弾性力に抗して、支持部４を回動支点として矢印Ｃの反時計回り方向に回動する。
【００３３】
すると、ストッパー部５ｈがストッパー面１ｅから離間すると共に、捻りコイルバネ６の第１、第２腕部６ｂ、６ｃ間の開放角度αが狭まり、第２腕部６ｃが、図７に示すように、下部と上部の接点部３ｇ、３ｈのガイド部３ｍ、３ｎに弾接する。このことにより、スイッチが切り替わってＯＮの状態となる。
この状態から、更に操作レバー５を矢印Ｃ方向に回動させると、図８に示すように、捻りコイルバネ６の第２腕部６ｃは、ガイド部３ｍ、３ｎに案内されて、一対の接点部３ｇ、３ｈ間に位置する。そして、一対の接点部３ｇ、３ｈは、第２腕部６ｃによって、上下方向に押し広げられる。
【００３４】
そして、操作レバー５の操作部５ｅが第２側壁１ｂの外壁に当接して、操作レバー５の回動が停止する。このような操作レバー５のフルストローク状態においては、図８に示すように、第２腕部６ｃは、一対の接点部３ｇ、３ｈ間に弾接狭持された状態となって、スイッチＯＮの状態が保たれる。
また、操作レバー５に加えていた矢印Ｃ方向の操作力を解除すると、捻りコイルバネ６の自身の弾性力で、操作レバー５が時計回り方向に回動して、第２腕部６ｃが図２、図６に示す初期状態に自動復帰して、スイッチＯＦＦの状態に切り替わるようになっている。
【００３５】
このような本発明のスイッチ装置は、スイッチＯＮ時に、可動接点である第２腕部６ｃの外周部の直径方向の両側が、一対の接点部３ｇ、３ｈに接触した状態で、スライドイド移動するので、ゴミ等の侵入があっても、第２腕部６ｃと接点部３ｇ、３ｈの接触を安定させることができる。
また、第２腕部６ｃは、金属板からなる一対の接点部３ｇ、３ｈ間をスライドすることにより、従来例で説明したような削りカス等が発生せず、更に接触を安定させることができる。
また、固定接点２と切換接点３とを、ケース１にインサート成形等により埋設して一体化したので、部品点数を削減できて小型にできると共に、スイッチＯＮ位置のバラツキをなくすることができる。
【００３６】
また、本発明のスイッチ装置は、ケース１の収納部１ｃが、図２に示すように、操作レバー５を支持する支持部４と切換接点３とを結ぶ線Ｅに対して略対称に形成している。そのために、メインの部品であるケース１、切換接点３、捻りコイルバネ６等を共用して、矢印Ｄの時計回り方向に回動操作可能な操作レバーを有するスイッチ装置を組立できる。
【００３７】
【発明の効果】
以上説明したように、本発明のスイッチ装置は、クリップ状に形成されて互いに対向する一対の接触部を有する切換接点を配設し、操作レバーを回動操作すると、第２腕部は、一対の接点部と接離すると共に、前記一対の接点部に弾接狭持した状態でスライド移動可能としたので、第２腕部は、直径方向の２箇所が一対の接点部に弾接する。そのために、ケース内部にゴミ等の侵入があっても、第２腕部と一対の接点部との接触を安定させることができる。
【００３８】
また、収納部内に並設された固定接点および切換接点は、一部がケースに埋設されて一体化されているので、部品点数を少なくして組立性の良いスイッチ装置を提供できる。
【００３９】
また、操作レバーは、収納部内に形成した支持部に回動自在に支持されると共に、支持部の周囲に形成したバネ収納部に捻りコイルバネの巻回部を収納したので、操作レバーに捻りコイルバネを組み込んだ状態で組み立てることができ、組立が容易なスイッチ装置を提供できる。
【００４０】
また、切換接点部の一対の接触部は、収納部の内底面と平行な横長状に形成され、一対の接点部に弾接狭持した捻りコイルバネの第２腕部は、内底面と平行方向にスライド移動可能としたので、一対の接点部を金属板で形成することにより、第２腕部を弾接狭持して繰り返しスライド移動させても、一対の接点部の摩耗を少なくすることができ、長寿命のスイッチ装置を提供できる。
また、一対の接点部間を第２腕部がスライド移動している間は、スイッチがＯＮ状態になっているので、操作範囲の広い操作性の良いスイッチ装置を提供できる。
【００４１】
また、ケースの収納部は、操作レバーを支持する支持部と切換接点とを結ぶ線に対して略対称に形成したので、操作レバーの操作方向を左方向、あるいは右方向に操作可能なスイッチ装置を、メインの部品を共用して組立できる。
そのために、低コストでバラエティ対応可能なスイッチ装置を提供できる。
【図面の簡単な説明】
【図１】本発明の一実施の形態のスイッチ装置の分解斜視図である。
【図２】図１の内部を説明する上面図である。
【図３】図１の内部を説明する上面図である。
【図４】本発明の係わる固定接点と切換接点との分解斜視図である。
【図５】本発明のスイッチ装置の要部断面図である。
【図６】本発明のスイッチ装置の動作を説明する要部断面図である。
【図７】本発明のスイッチ装置の動作を説明する要部断面図である。
【図８】本発明のスイッチ装置の動作を説明する要部断面図である。
【図９】従来のスイッチ装置の要部断面図である。
【図１０】従来のスイッチ装置の動作を説明する上面図である。
【図１１】従来のスイッチ装置の動作を説明する上面図である。
【図１２】従来のスイッチ装置の動作を説明する要部断面図である。
【符号の説明】
１  ケース
１ａ  第１側壁
１ｂ  第２側壁
１ｃ  収納部
２  固定接点
２ｃ  接点部
３  切換接点
３ｇ  下方接点部
３ｈ  上方接点部
４  支持部
５  操作レバー
５ｃ  バネ収納部
５ｅ  操作部
５ｆ  バネ支持部
６  捻りコイルバネ
６ａ  巻回部
６ｂ  第１腕部
６ｃ  第２腕部
７  カバー
７ｃ  スナップ穴
７ｅ  係止爪
【図１】
0004044364.tif 000002
【図２】
0004044364.tif 000003
【図３】
0004044364.tif 000004
【図４】
0004044364.tif 000005
【図５】
0004044364.tif 000006
【図６】
0004044364.tif 000007
【図７】
0004044364.tif 000008
【図８】
0004044364.tif 000009
【図９】
0004044364.tif 000010
【図１０】
0004044364.tif 000011
【図１１】
0004044364.tif 000012
【図１２】
0004044364.tif 000013